(57)【要約】【課題】容器の外観に特異性を付与して意匠性の向上を図ると共に、特定の視点においては容器の外側から内側を見ることができ、また別の視点からは容器の内側が見えないようにした加飾容器を提供する。【解決手段】光透過性を有する面状体の内部にこの面状体と略直交する向きに、表面に意匠態様を施した複数の視野角制限体を間隔を存して配列し、透過光の放射角や方向を制限しつつ内部を加飾した構成の視野角制限手段を容器の表面に配置してなることを特徴とする。【選択図】  図１
2005088914.tif 000002
【特許請求の範囲】
【請求項１】
光透過性を有する面状体の内部にこの面状体と略直交する向きに複数の視野角制限体を間隔を存して配列し透過光の放射角や方向を制限するようにしてなる視野角制限手段を、容器の表面に配置し、該視野角制限体の表面に意匠態様を施し、見る角度によって容器の意匠を変化させるようにしたことを特徴とする加飾容器。
【請求項２】
視野角制限体の表面に施された意匠態様が、モチーフであることを特徴とする請求項１に記載の加飾容器。
【請求項３】
意匠態様が、視野角制限体の表面に施された、光の反射率や屈折率の異なる少なくとも２枚以上のフィルムを積層してなる多層構造フィルムによってもたらされる光の反射や屈折又は色彩であることを特徴とする請求項１又は２に記載の加飾容器。
【請求項４】
視野角制限体の表面に施された意匠態様が、蒸着加工処理を施しメタリック調の表面仕上げであることを特徴とする請求項１乃至３に記載の加飾容器。
【請求項５】
意匠態様が、視野角制限体の表面に施された湾曲等の曲面形状によってもたらされる色彩であることを特徴とする請求項１乃至４に記載の加飾容器。
【請求項６】
意匠態様が、視野角制限体の表面に施された凹凸によってもたらされる色彩であることを特徴とする請求項１乃至５に記載の加飾容器。
【請求項７】
視野角制限手段が、光透過性を有する２枚の面状体の間に配列してなることを特徴とする請求項１乃至６に記載の加飾容器。
【請求項８】
複数の視野角制限にモチーフを設け、全体として統合されたデザインとして視認されるように構成したことを特徴とする請求項１乃至７に記載の加飾容器。
【発明の詳細な説明】
【技術分野】
【０００１】
本発明は、光学的に加飾される容器に関する。
【背景技術】
【０００２】
従来より光学的に加飾された容器は多数存在し、なかでも回折格子を施したフィルム或いはホログラムフィルムを容器表面に配置又は積層して、これを見る角度によって、外観が多彩な色彩に変化して見えるようにしたものが知られている。しかしそれらのものは、容器の外側からは殆ど内側を見ることができないという欠点があった。
【０００３】
また透過光の放射角を制限することができるフィルム状の視野角制限手段は、公知の技術であり、この技術を応用したものには、前記視野角制限手段を画像表示装置の表面に配設して視野角を制限するようにした技術等がある。しかしながら、視野角制限手段を容器の装飾に利用したものは提案されていない。
【発明の開示】
【発明が解決しようとする課題】
【０００４】
本発明は、以上の問題点に鑑みてなされたものであり、容器の外観に特異性を付与して意匠性の向上を図ると共に、特定の視点においては容器の外側から内側を見ることができ、また別の視点からは容器の内側が見えないようにした加飾容器を提供せんとするものである。
【課題を解決するための手段】
【０００５】
上記課題を解決するために本発明が採った手段は、光透過性を有する面状体の内部にこの面状体と略直交する向きに、表面に意匠態様を施した複数の視野角制限体を間隔を存して配列し、透過光の放射角や方向を制限しつつ内部を加飾した構成の視野角制限手段を容器の表面に配置してなることを特徴とする。
【０００６】
或いは、光透過性を有する二枚の面状体の間にこの面状体と略直交する向きに、表面に意匠態様を施した複数の視野角制限体を間隔を存して配列し、透過光の放射角や方向を制限しつつ内部を加飾した構成の視野角制限手段を容器の表面に配置した構成としても、前記構成のものと同様に光学的効果を作出することができる加飾容器を得ることができるので、透過光の放射角や方向を制限する機能の視野角制限体を有する視野角制限手段であれば良く特に限定されない。
【０００７】
また、視野角制限体の表面に施された意匠態様が、文字や図形、記号、絵柄等の模様であることを特徴とする。本明細書においては、これらの文字や図形、記号、絵柄等の模様を総称してモチーフという。
【０００８】
また、複数配列される各視野角制限体の表面の適所にモチーフを施した構成の視野角制限手段を配置してなる加飾容器においては、これに対応する特定の視点において各々のモチーフが全体として統合されたデザインとして視認される構成とすることができる。例えば、前記加飾容器を見る特定の視点において、統合されたデザインとしてロゴマークが視認されるようにする場合、各々のモチーフをこのロゴマークを細分割した各部分をモチーフとして各視野角制限体の表面の適所に施すことで可能となる。
【０００９】
更に、各視野角制限体の一方の表面にデザインＡを細分割した各部分をモチーフＡとして施し、他方の表面にデザインＢを細分割した各部分をモチーフＢとして施した構成の視野角制限体を光透過性を有する面状体の適所に配列してなる視野角制限手段を容器の表面に配置することができ、この場合、モチーフＡを施した側の特定の視点からは容器表面にデザインＡが視認され、モチーフＢを施した側の特定の視点からは容器表面にデザインＢが視認されるようにすることができる。
【００１０】
また意匠態様が、視野角制限体の表面に施された、光の反射率や屈折率の異なる少なくとも２枚以上のフィルムを積層してなる多層構造フィルムによってもたらされる光の反射や屈折又は色彩等であることを特徴とする。
【００１１】
また、視野角制限体の表面に施された意匠態様が、蒸着加工処理を施しメタリック調の表面仕上げであることを特徴とする。
【００１２】
また意匠態様が、視野角制限体の表面に施された湾曲等の曲面形状によってもたらされる色彩であることを特徴とする。
【００１３】
また意匠態様が、視野角制限体の表面に施された凹凸によってもたらされる色彩であることを特徴とする。
【００１４】
以上の如くの意匠態様を表面に施した視野角制限体を有する視野角制限手段を容器の表面に配置することで、これを見る視点によって、外観を多様な色彩に変化させたり、デザインを作出することができるが、意匠態様は視点によって外観を多様な色彩に変化させたりデザインを作出したりすることができれば良く特に限定されない。
【発明の効果】
【００１５】
以上説明したように本発明によれば、容器の表面に配置された視野角制限手段によって、光の放射角や方向が制限され又散乱光や干渉光が加味されて、見る角度や視点による色彩や意匠或いは立体感、透明感等の外観の多様な変化を付与することができ特異にして美麗な優れた意匠を効果的に得られる。
【００１６】
また、特定の視点からは容器の内側を目視することができるようにしてあるので、容器の外側から内側を視認することができるという効果が得られる。
【発明を実施するための最良の形態】
【００１７】
本発明の好ましい実施の形態を以下に説明する。本発明は、光透過性を有する面状体の内部或いは光透過性を有する二枚の面状体の間に、この面状体と略直交する向きに、モチーフ等の意匠態様を表面に施した適当な厚さを有する複数の視野角制限体を適当な間隔で配設して、透過光の放射角や方向を制限するようにしてなる視野角制限手段を箱やケース、樹脂ボトル、ガラス瓶等の容器の表面に配置したことを特徴とし、該視野角制限手段を透過する光が、必要な範囲に透過して不要な範囲への透過を制限でき、これを見る角度によって外観を多様な色彩や意匠に変化させ、立体感或いは透明感等を付与することが可能な構造となっている。
【００１８】
また、該視野角制限体の表面にモチーフを施して視野角制限手段の内部を加飾したものは、特定の斜めからの視点において、この角度や方向に対応する特定の予め施されたモチーフを視認することができて意匠上好ましい。特に、所望のデザインを細分割した各部分をモチーフとして、それらを視野角制限体の表面の適所に施した構成の視野角制限体を配列した視野角制限手段を配置してなる容器においては、これに対応する特定の視点から前記容器を見たときに、各々のモチーフが全体として統合されたデザインとして視認されるように構成することができる。更に、所望のデザインを細分割した各部分をモチーフとして、視野角制限体の一方の表面に施し、前記デザインと異なる別のデザインを細分割した各部分をモチーフとして、視野角制限体の他方の表面に施した場合、前者に対応する特定の視点においては前者のデザインが視認され、また後者に対応する特定の視点においては、後者のデザインが視認されるようにすることが可能である。
【００１９】
また、光の反射率や屈折率の異なる少なくとも２枚以上のフィルムを積層してなる多層構造フィルムを視野角制限体の表面に配置した構成、或いは蒸着加工処理を施しメタリック調の表面仕上げとした構成の視野角制限体、又は視野角制限体の表面を湾曲等の曲面状にした構成、若しくは視野角制限体の表面に凹凸を適当なサイズや密度で施した構成の視野角制限体等を視野角制限手段に配列して、視野角制限手段の内部を加飾したものを容器の表面に配置した構成とすることができ、これらの場合、視野角制限体の表面に平行でない様々な視点において、外部の光の変則的な反射等も付加され前記視野角制限体の表面における多様な光の反射によって、美麗で特異な外観を得ることができる。
【００２０】
そして、視野角制限体を光透過性を有する面状体に配列するときの視野角制限体と該面状体との角度によって、視野角制限手段を透過する光の方向を規定することができ、或いは視野角制限体の厚みや幅、或いは視野角制限体同士の間隔によって透過光の放射角を規定することができ、また視野角制限体の表面に施される意匠態様によって、視野角制限体の表面と平行ではない様々な視点において多様な色彩や意匠を得られることは勿論であるが、更に視野角制限手段を配置した容器の表面に予めデザインを施した構成とすれば、視野角制限体の表面に平行する視点において、前記デザインを視認することができる。この場合、該容器の表面は有色であっても無色であっても良く限定されるものではないが特に、透明乃至半透明の素材からなる容器であれば、容器の内側が見えて好ましい。また容器の表面にデザインを施しても施さなくても良いこと、或いは容器の素材が無色、有色の何れであっても良いことは勿論である。
【００２１】
また透明の素材からなる肉薄な容器の場合には、この容器の内側表面に視野角制限手段を配置することができる。又、角筒状の瓶容器において、容器の各面にこの発明の視野角制限手段を配置することにより、正面からは容器の内部若しくは容器表面に施した意匠の視認を可能とし、他の面からは容器内部を見えないようにしつつ、視野角制限体に施したモチーフを視認可能とする。又、容器を回転することにより、各面に施した異なったモチーフを表出させ、多彩な意匠を有する瓶容器を提供することが可能となる。
【実施例】
【００２２】
以下、本発明を適用した化粧用コンパクト容器を図１〜図４に基づいて説明する。先ず、図１は本発明を適用した化粧用コンパクト容器の断面図であり、図２は本発明の視野角制限手段を容器の蓋体の表面に積層した構造を斜視図に示したものであり、図３は本発明の視野角制限体の表面に、数字を細分割した各部分をモチーフとして、施してなる視野角制限手段を配置した蓋体を有する容器の該蓋体を閉じて該数字が斜めの視点から見えている状態を斜視図に示したものであり、図４は本発明の視野角制限手段を配置した蓋体を閉じた状態において該蓋体の上面からの視点において容器の内側が透けて見えている状態を平面図に示したものである。
【００２３】
次に、これらの図を参照しながら具体的な構造を説明する。この化粧用コンパクト容器は、化粧料を収容するための凹部に形成された化粧料収容部(3)とパフ等の化粧用具を収納するための凹部に形成された化粧用具収納部(4)とを有する透明の容器本体(1)と、容器本体(1)の後端にヒンジで開閉自在に連結された透明の蓋体(2)を有し、光透過性を有する二枚の平行なＰＥＴ製のフィルム状カバー材(5)の間に、デザイン＝数字(8)を細分割した各部分をモチーフとして各視野角制限体(6)の表面の適所に施し、この各視野角制限体(6)をフィルム状カバー材(5)の面と直交する向きに等間隔で配列してなる視野角制限手段(7)を蓋体(2)の表面に積層して構成されている。
【００２４】
そして、前記化粧料収容部(3)は所望の化粧料(9)が収容できるようになっていて、また化粧用具収納部(4)にはパフ(10)が挟持されつつ収納されている。
【００２５】
この化粧用コンパクト容器は、図に示すように閉蓋状態において、蓋体(2)に対して特定の斜めの視点からは、各視野角制限体(6)の表面に予め施した各々のモチーフが全体として統合された状態で１つのデザイン＝数字(8)や表示が作出される。この視点においては、容器の内側は視野角制限体(6)によって内側からの光が遮られ視認することができないようになっている。また蓋体(2)に対して垂直の視点からは、透明な蓋体(2)と光透過性を有する視野角制限手段(7)を透過した光によって、閉蓋状態の容器が透け、この内側を視認することが可能となる。
【００２６】
図５，６は、この発明の実施例の一変形を示し、角筒状の瓶容器(11)の各面にこの発明の視野角制限手段(７)を配置し、視野角制限手段(7)の視野角制限体(６)にそれぞれ所望のモチーフを施したものである。容器の正面からは、瓶容器(10)を透して容器内部、若しくは容器の表面に施された意匠を視認することが出来る。他の面については、内部を見えないようにしつつ、視野角制限体に施されたモチーフを視認することを可能とし、きわめて変化に富んだ意匠を有する容器を提供することが可能となる。又、容器を回転することにより、それぞれの面に施された意匠の視認が可能となる。
【図面の簡単な説明】
【００２７】
【図１】本発明を適用した化粧用コンパクト容器の断面図である。
【図２】本発明の視野角制限手段を容器の蓋体の表面に積層した構造を斜視図に示したものである。
【図３】本発明の視野角制限体の表面に、数字を細分割した各部分をモチーフとして、施してなる視野角制限手段を配置した蓋体を有する容器の該蓋体を閉じて該数字が斜めの視点から見えている状態を斜視図に示したものである。
【図４】本発明の視野角制限手段を配置した蓋体を閉じた状態において該蓋体の上面からの視点において容器の内側が透けて見えている状態を平面図に示したものである。
【図５】この発明の実施例の一変形を示す瓶容器の斜視図
【図６】同横断面図
【符号の説明】
【００２８】
(1)  容器本体
(2)  蓋体
(3)  化粧料収容部
(4)  化粧用具収納部
(5)  フィルム状カバー材
(6)  視野角制限体
(7)  視野角制限手段
(8)  デザイン＝数字
(9)  化粧料
(10)  パフ
(11)  瓶容器
【図１】
2005088914.tif 000003
【図２】
2005088914.tif 000004
【図３】
2005088914.tif 000005
【図４】
2005088914.tif 000006
【図６】
2005088914.tif 000007
【図５】
2005088914.tif 000008